(57)【特許請求の範囲】
【請求項１】
高分子材料を溶剤に溶解したドープを、ダイリップより、支持体上に流延し液膜を形成した後、溶剤を除去しキャストフィルムを製造する方法において、
（ａ）リップ側面が、ランド部に対し２０〜８０°の角度で少なくとも一段以上の傾斜面を形成し、傾斜面の少なくとも一方に溶剤吐出ノズルを設置したダイリップを用い、
（ｂ）溶剤を、溶剤吐出ノズルから吐出範囲がリップ巾全体をカバーするように傾斜面に沿わせリップ先端部に流しながら流延することを特徴とするキャストフィルムの製造方法。
【発明の詳細な説明】
【０００１】
【発明の属する技術分野】
本発明は、高分子材料を溶剤に溶解したドープを、ダイリップから支持体上に流延してキャストフィルムを製造する方法に関するものである。さらに詳しくは、フィルム表面の筋状斑の発生を抑制し、表面平滑性、厚み均一性に優れたキャストフィルムを製造する方法に関する。
【０００２】
【従来の技術】
溶液キャスト法は、高分子材料を溶剤に溶解した溶液（以下ドープという）をゴミや気泡等の異物を完全に除去した後、ダイより押し出して支持体上に流延し、乾燥、剥離してフィルムを得る方法である。この方法で製造されるフィルムは、溶融押出し法で得られるフィルム比べ、光学透明性、厚み均一性に優れ、異物も少ないため各種のオプトエレクトロニクス用途に利用されている。
【０００３】
従来、この方法においては、ダイからの吐出開始時やフィルムの生産中、吐出量変更の過程で、リップ先端部のドープの離れ際付近でドープがリップ先端部に徐々に蓄積したり、付着したものが乾燥してゲル状物となり固定化し、これが原因となって、流延方向で液膜に接触して筋状の欠点を発生させるという問題があった。
【０００４】
これらの解決手段として、例えば特開平８―２５３８１号公報が開示されている。この方法によれば特定の溶液粘度を持つドープを先端が金属支持体に対して平行で、かつ平坦なエッジを有するリップからなるダイより押し出して流延するキャストフィルムの製造方法が提案されている。しかしながらこの方法においても流延方向の縦筋は完全には解消出来ないという問題が残されている。
【０００５】
【発明が解決しようとする課題】
本発明の目的は、高分子材料フィルムを溶液キャスト法で製造する際、支持体上に流延された液膜の流延方向の筋の発生を防止し、表面平滑性、厚み均一性に優れたキャストフィルムの製造方法を提供することにある。
【０００６】
【課題を解決するための手段】
すなわち本発明は、高分子材料を溶剤に溶解したドープを、ダイリップより、支持体上に流延し液膜を形成した後、溶剤を除去しキャストフィルムを製造する方法において、
（ａ）リップ側面が、ランド部に対し２０〜８０°の角度で少なくとも一段以上の傾斜面を形成し、傾斜面の少なくとも一方に溶剤吐出ノズルを設置したダイリップを用い、
（ｂ）溶剤を、溶剤吐出ノズルから吐出範囲がリップ巾全体をカバーするように傾斜面に沿わせリップ先端部に流しながら流延することを特徴とするキャストフィルムの製造方法である。
【０００７】
本発明では、芳香族ポリカーボネート等の高分子材料を用いる。本発明で用いられる芳香族ポリカーボネートは芳香族ジヒドロキシ化合物とホスゲン、ジフェニールカーボネートの如き炭酸結合生成性の化合物とを、反応せしめることにより得られる重合体のことをいう。
【０００８】
上記芳香族ジヒドロキシ化合物としては、具体的には以下に示す化合物を挙げることができる。すなわち、１，１―ビス（４―ヒドロキシ―ｔ―ブチルフェニル）プロパン、２，２―ビス（４―ヒドロキシフェニル）プロパン、２，２―ビス（４―ヒドロキシブロモフェニル）プロパンなどのビス（ヒドロキシアリール）アルカン類、１，１―ビス（４―ヒドロキシフェニル）シクロペンタン、１，１―ビス（４―ヒドロキシフェニル）シクロヘキサンなどのビス（ヒドロキシアリール）シクロアルカン類、４，４′―ジヒドロキシジフェニルエーテル、４，４―ジヒドロキシ―３，３′―ジメチルフェニルエーテルなどのジヒドロキシアリールエーテル類、４，４′―ジヒドロキシジフェニルスルフィド、４，４′―ジヒドロキシ―３，３′―ジメチルフェニルスルフィドなどのジヒドロキシアリールスルフィド類、４，４′―ジヒドロキシジフェニルスルホキシド、４，４′―ジヒドロキシ―３，３′―ジメチルフェニルスルホキシドなどのジヒドメキシアリールスルホキシド類、４，４′―ジヒドロキシジフェニルスルホン、４，４′―ジヒドロキシ―３，３′―ジメチルフェニルスルホンなどのジヒドロキシアリールスルホン類などがあげられる。
【０００９】
これらのうちでは特に２，２―ビス（４―ヒドロキシフェニル）プロパン（ビスフェノール―Ａ）が好ましく用いられる。これらの芳香族ジヒドロキシ化合物は単独または組み合わせて用いることができる。
【００１０】
また、一般にテレフタル酸及び／又はイソフタル酸成分を含むポリエステルカーボネートを使用することも可能である。このような構成単位をビスフェノール―Ａからなるポリカーボネートの構成成分の一部に使用することにより、ポリカーボネートの性質、例えば耐熱性、溶解性を改良することができる。このような共重合体についても本発明では用いることができる。
【００１１】
芳香族ポリカーボネートの分子量は、濃度０．５ｇ／ｄｌの塩化メチレン溶液中２０℃の粘度測定から求めた粘度平均分子量が１０，０００以上２００，０００以下、好ましくは２０，０００以上１２０，０００以下の範囲のものが用いられる。
【００１２】
溶剤としては、塩化メチレン、１，３―ジオキソラン等が用いられる。
【００１３】
本発明で用いられるドープは、主として塩化メチレン又は１，３―ジオキソランからなる溶剤に、芳香族ポリカーボネート等の高分子材料を溶解させることにより作成される。ドープ中の高分子材料の濃度は５〜３０重量％程度である。
【００１４】
ドープは、スチールベルトやドラム又は支持体フィルム（一般的にはポリエステルの２軸配向フィルム）等の支持体上に、ダイリップを用い流延し液膜を形成する。とりわけ、本発明方法は支持体としてスチールベルトを用いる場合に有効である。
【００１５】
溶媒の除去は、通常、流延したフィルムを、支持体上で乾燥機によっ乾燥する。乾燥は公知の方法によって実施できる。流延直後は、液膜が極力外乱を受けないように斑なく均一に乾燥し、後半の半固化状態になった後は、熱風を吹きつけて乾燥するのが好ましい。
【００１６】
本発明は、上記溶液製膜法において、特定のダイリップを用いることを特徴とする。
【００１７】
以下本発明を図面に基いて詳細に説明する。
図１及び図２において、１はダイリップ、２はリップ側面、３はランド部、４はリップ先端面、５はゲル化物、６は溶剤吐出ノズル、７は溶剤の流れ、８はドープ吐出口、９は液膜、１０は支持体である。
【００１８】
図１においては、溶剤吐出ノズル６をリップ側面２の傾斜面に配置し、このノズルの先端はリップ側面２に近接している。ノズルには流量調整可能な定量供給ポンプ（図示せず）より溶剤が送り込まれ、ノズルから吐出された溶剤は、矢印７に示す如く、先ず、リップ側面２の傾斜面に沿って流れ下がり、リップ先端に回り込む。この際角度、エッジのＲなどは特に規制されないが、Ｒは大きいほうが溶液が先端面に回りやすく効果が大きい。
【００１９】
リップ先端面４に回り込んだ溶剤は、表面張力で保持されながら、先端部の傾斜によってドープ吐出口８の方向に移動し、その近傍に付着しているドープのゲル化物５に達し、それを膨潤させたり溶解させたりする。やがてゲル化物５は、先端面４の傾斜と溶剤の効果で、付着していた位置を離れ、流延された液膜９とともにダイリップから離れ持ち去られる。
【００２０】
本発明は製膜中連続して実施しても良いし、ゲル化物が発生して筋状欠点が発生した時に実施しても良い。
【００２１】
ゲル化物は、溶剤吐出ノズル６から溶剤を放出し除去する。その際には、溶剤によりフィルム表面が乱されることがあるので、リップ先端面４が清浄された後は溶剤の放出量を適量に調整することが好ましい。放出量が過剰であると後工程での剥離、搬送等の処理に支障をきたすので、その量は適切に制限することが好ましい。その量は吐出されるドープの粘度、粘度並びに液膜の厚み等により異なるので調節する。
【００２２】
また、ノズルの形態としては、溶剤吐出範囲はリップ巾全体をカバーせねばならないが、ゲル化物等による筋状の欠点は局所的に発生するものであるので、それがいくつかのノズルに分割され、独立に制御することが好ましい。
【００２３】
図１はリップ側面２とランド部３とのなす角度が約６０°でダイ全体を傾けて使用しており、溶剤吐出ノズル６は支持体１０の進行方向に取り付けている。
【００２４】
一方、図２はダイ本体は傾けていないが、リップ側面２は２段の傾斜部を形成するものである。この場合、溶剤吐出ノズル６の先端は第１段傾斜面の延長線上に取り付けることが好ましい。ノズルは片側のみ図示されているが、図２の場合には、リップ側面２のいずれか、あるいは双方に設置することができる。
【００２５】
【発明の効果】
本発明によれば、ダイリップ先端に筋の原因となるドープのゲル状物が付着した場合でも、吐出開始後、製膜運転中、条件変更後のごく短時間の処理によりこれを除去することができ、筋のない、厚みの均一性に優れたキャストフィルムを、効率良く生産することが可能となる。
【図面の簡単な説明】
【図１】本発明の一例を図示したものである。
【図２】本発明の、他の一例を図示したものである。
【符号の説明】
１    ダイリップ
２    リップ側面
３    ランド部
４    リップ先端面
５    ゲル化物
６    溶剤吐出ノズル
７    溶剤の流れ
８    ドープ吐出口
９    液膜
１０  支持体
【図１】
0003814368.tif 000002
【図２】
0003814368.tif 000003